(57)【要約】  【課題】  方向案内部により正しい打ち出し方向が判ると共にフェースの最適打撃点を正確にボールの中心と一致させることができ、また、簡単な構造でアドレス時に一目でライ角のずれが判るためライ角を常に一定にでき、打ち出し方向及び球足を安定させることができるパターヘッド及びそれを備えたパターを提供することを目的とする。  【解決手段】  本発明のパターヘッド１は、金属製のヘッド本体１ａと、ヘッド本体１ａに形成され、フェース２、トップブレード３及びバックフェース４側に開放した開放部６と、開放部６に充填された透明体７と、透視部７の内部にフェース２に直交する方向に向けて配設された１乃至複数の方向案内部８と、を備えた構成を有している。【選択図】  図１
2005103259.tif 000002
【特許請求の範囲】
【請求項１】
金属製のヘッド本体と、
前記ヘッド本体に形成され、フェース、トップブレード及びバックフェース側に開放した開放部と、
前記開放部に充填された透明体と、
前記透明体の内部に前記フェースに直交する方向に向けて配設された１乃至複数の方向案内部と、
を備えていることを特徴とするパターヘッド。
【請求項２】
前記トップブレードの少なくとも中央部に前記透明体が露出し、前記方向案内部が視認できることを特徴とする請求項１に記載のパターヘッド。
【請求項３】
少なくとも１の前記方向案内部が、前記フェース上の最適打撃点を通る軸線上に配設されていることを特徴とする請求項１又は２に記載のパターヘッド。
【請求項４】
前記方向案内部が前記ヘッド本体の背面側に延設された延設部を有し、前記透視部の前記バックフェース側に連設され前記延設部を拡大又は縮小するレンズ状透視部を備えていることを特徴とする請求項１乃至３の内いずれか１項に記載のパターヘッド。
【請求項５】
前記方向案内部及び前記延設部の上部にその長手方向に沿って形成されたライ角確認線を備えていることを特徴とする請求項４に記載のパターヘッド。
【請求項６】
前記方向案内部が、その先端から前記フェースまでの距離が１ｍｍ〜１．５ｍｍとなるように配設されていることを特徴とする請求項１乃至５の内いずれか１項に記載のパターヘッド。
【請求項７】
請求項１乃至６の内いずれか１項に記載のパターヘッドを備えていることを特徴とするパター。
【請求項８】
前記パターヘッドに取り付けられたシャフトの軸線が前記方向案内部の中心軸に直交することを特徴とする請求項７に記載のパター。
【発明の詳細な説明】
【技術分野】
【０００１】
本発明は、ゴルフ競技において、グリーン上でのパッティングに用いられるクラブであるパターのパターヘッド及びそれを備えたパターに関するものである。
【背景技術】
【０００２】
ゴルフ競技において、グリーン上でのパッティングにはパターが用いられている。パターのパターヘッドは、競技上少しでも有利になるように、ヘッド本体の形状、打撃面であるフェースの形状、またそれらの素材、或いは重心の位置、ヘッド本体に対するシャフトの取り付け角度等について様々な工夫が加えられている。このような工夫の一例として、特許文献１には、「打球面から上端部にかけて開放部を形成する本体と、開放部底面中央に固定される重りと、開放部と重りの隙間に充填される透明な充填体とを備えたゴルフクラブヘッド」が開示されている。
【０００３】
一方、パターヘッドのフェースは、アドレス時に身体に対し直交するので、上方からはトップブレードで死角になり、直接見ることができないので、競技者は経験や感覚によりフェースの最適打撃点、いわゆるスイートスポットの位置を予測している。しかしながら、アドレス時に常に一定の姿勢をとらなければ、ライ角、すなわち地面に対するシャフトの角度がずれてしまい、最適打撃点の位置を誤り易くなる。したがって、ライ角を常に一定にすることは重要であるが、経験や感覚だけでは、初心者はもとより上級者においても困難であった。
ライ角調整を容易するために、ライ角のずれを視認することができるものとして、特許文献２には、「ヘッド上面のクラウン部に、フェース面と平行方向に凹溝を複数刻設して凹凸部にフェース面と直交方向のヒール側打球方向指示線及びトウ側打球方向指示線を設けたパターヘッド」が開示されている。
【０００４】
【特許文献１】登録実用新案第３０５８５４５号公報
【特許文献２】特開２００２−２３９０４５号公報
【発明の開示】
【発明が解決しようとする課題】
【０００５】
しかしながら、上記従来の技術では以下のような課題を有していた。
（１）特許文献１のゴルフクラブヘッドでは、開放部の内部に固定された重りが上方から見えているので、重りの位置からおよその重心の位置を把握できるが、フェースの最適打撃点が判らず、最適打撃点を正確にボールに当てることができないという課題を有していた。
（２）また、打ち出し方向を示すものがないので、正しい打ち出し方向をつかみ難く、間違ったアドレスをとってしまい、予想した方向に打ち出すことが困難であるという課題を有していた。
（３）さらに、ライ角のずれを確認することができないので、打ち出し方向や球足が安定しないという課題を有していた。
（４）特許文献２のパターヘッドでは、ヘッド本体の上面のフェースの最適打撃点に重なる位置にフェースに直交する打球方向指示線を設けているが、打球方向指示線の位置と最適打撃点の位置は高さ方向にずれているので、最適打撃点を正確に把握できず、最適打撃点を正確にボールに当てることができないという課題を有していた。
（５）また、ライ角のずれを視認するために、ヘッド上面のクラウン部に凹溝を複数刻設し、凹凸部に打球方向指示線を形成し、或いは内部に波状の打球方向指示線を形成した透明体を装着しているので、構造が複雑で製造費用が増大し生産性に欠けるという課題を有していた。
【０００６】
本発明は、上記従来の課題を解決するもので、方向案内部により正しい打ち出し方向が判ると共にフェースの最適打撃点を正確にボールの中心と一致させることができ、また、簡単な構造でアドレス時に一目でライ角のずれが判るためライ角を常に一定にでき、打ち出し方向及び球足を安定させることができるパターヘッドを提供することを目的とする。
また、本発明は、上記従来の課題を解決するもので、方向案内部により正しい打ち出し方向が判ると共にフェースの最適打撃点を正確にボールの中心と一致させることができ、また、簡単な構造でアドレス時に一目でライ角のずれが判るためライ角を常に一定にでき、打ち出し方向及び球足を安定させることができるパターを提供することを目的とする。
【課題を解決するための手段】
【０００７】
上記課題を解決するために本発明のパターヘッド及びそれを備えたパターは、以下の構成を有している。
本発明の請求項１に記載のパターヘッドは、金属製のヘッド本体と、前記ヘッド本体に形成され、フェース、トップブレード及びバックフェース側に開放した開放部と、前記開放部に充填された透明体と、前記透明体の内部に前記フェースに直交する方向に向けて配設された１乃至複数の方向案内部と、を備えた構成を有している。
【０００８】
この構成により、以下のような作用を有する。
（１）開放部がヘッド本体のフェース、トップブレード及びバックフェース側に開放して形成されているので、透明体の内部の方向案内部の全体を見ることができ、特に、フェースの近傍まで延びた方向案内部の先端部がトップブレードの開放部分を介して見えるので、方向案内部の先端部をボールに向き合わせてアドレスすることで、容易にフェースの最適打撃点の位置にボールの中心の位置を合わせることができる。
（２）方向案内部がフェースに直交する方向に向けて配設されているので、方向案内部の向きを打ち出す方向と一致させてアドレスすることで、正しい打ち出し方向にフェースを向けることができる。
（３）透明体の内部に方向案内部が配設されているので、最適打撃点の水平方向の位置だけでなく高さ方向の位置も正確に把握でき、最適打撃点とボールの中心とを正確に一致させることができる。
【０００９】
ここで、開放部は、フェース、トップブレード及びバックフェース側に開放した凹部状に形成してもよく、さらにフェイスからソール側に切り欠いて形成してもよく、或いは、ヘッド本体のトウ側とヒール側が開放部を挟んで分離するようにソール側を開放してもよい。
透明体としては、ポリメタクリル酸メチルやポリカーボネート等からなる透明合成樹脂が用いられる。なお、透明体のフェース及びトップブレード側の面は、各々ヘッド本体のフェース及びトップブレード側の面と面一に形成される。特に透明体のトップブレード側の面は、内部の方向案内部がはっきり見えるように平滑面で形成される。
方向案内部は鉄、黄銅、鋳鉄、鉛等の金属製、合成樹脂製、木製等の円柱、六角柱、三角柱、四角柱等の柱状、複数の棒状、円錐状、円錐台状、直線状の線条等で形成される。或いは、透明体の内部に空洞部を形成し該空洞部の内壁を着色して方向案内部としてもよい。方向案内部として種々の比重の材質を用いたり空洞部で形成したりすることにより、パター全体のバランスを適宜設定することができる。
方向案内部を複数設ける場合は、棒状や線条等の複数の方向案内部が各々フェースに直交するように並設される。複数の方向案内部の配置形状としては、軸方向から見て、水平方向に直線状、円形状、六角形状、四角形状、三角形状等に配置される。
【００１０】
本発明の請求項２に記載の発明は、請求項１に記載のパターヘッドであって、前記トップブレードの少なくとも中央部に前記透明体が露出し、前記方向案内部が視認できる構成を有している。
【００１１】
この構成により、請求項１の作用に加え、以下のような作用を有する。
（１）方向案内部が上方からトップブレードを介して視認できるので、透明体の内部の方向案内部の全体を見ることができ、特に、フェースの近傍まで延びた方向案内部の先端部がトップブレードの開放部分を介して見えるので、方向案内部の先端部をボールに向き合わせてアドレスすることで、容易にフェースの最適打撃点の位置にボールの中心の位置を合わせることができる。
【００１２】
ここで、透明体はトップブレードの中央部に方向案内部の幅より大きい幅で露出するように形成してもよく、或いはトップブレード全体に露出するように形成してもよい。
【００１３】
本発明の請求項３に記載の発明は、請求項１又は２に記載のパターヘッドであって、少なくとも１の前記方向案内部が、前記フェース上の最適打撃点を通る軸線上に配設された構成を有している。
【００１４】
この構成により、請求項１又は２の作用に加え、以下のような作用を有する。
（１）方向案内部が最適打撃点を通る軸線上に配設されているので、方向案内部の先端部をボールに向き合わせてアドレスすることで、容易にフェースの最適打撃点の位置にボールの中心の位置を合わせることができる。
【００１５】
ここで、最適打撃点とは、いわゆるスイートスポットであり、通常パターヘッドの重心を通り且つフェースに直交する線とフェースとが交わる点である。したがって、フェース上の最適打撃点を通る軸線は、パターヘッドの重心を通り且つフェースに直交する線と一致する。
【００１６】
本発明の請求項４に記載の発明は、請求項１乃至３の内いずれか１項に記載のパターヘッドであって、前記方向案内部が前記ヘッド本体の背面側に延設された延設部を有し、前記透明体の前記バックフェース側に連設され前記延設部を拡大又は縮小するレンズ状透明体を備えた構成を有している。
【００１７】
この構成により、請求項１乃至３の内いずれか１項の作用に加え、以下のような作用を有する。
（１）アドレス時に上方からパターヘッドを見ると、透明体の内部の方向案内部は透明体のトップブレード側の面を介して略そのままの大きさで見え、方向案内部の延設部はレンズ状透明体を介して拡大又は縮小されて見えるので、ライ角を変えた場合、パターヘッドが傾き、上方から見るとバックフェースよりフェース側の方向案内部の中心と延設部の中心とがずれて見え、これによりライ角の変化を視覚的に認識することができる。
【００１８】
ここで、レンズ状透明体としては、透明体と同様の材質により形成され方向案内部の延設部の上部及び両側部に沿って覆うように湾曲面を形成し凸レンズとして作用するもの、或いは、延設部の上部に凹状の湾曲面を形成し凹レンズとして作用するもの等が用いられる。
【００１９】
本発明の請求項５に記載の発明は、請求項４に記載のパターヘッドであって、前記方向案内部及び前記延設部の上部にその長手方向に沿って形成されたライ角確認線を備えた構成を有している。
【００２０】
この構成により、請求項４の作用に加え、以下のような作用を有する。
（１）方向案内部及び延設部の上部にその長手方向に沿ってライ角確認線が形成されているので、フェース側の方向案内部の中心と延設部の中心とのずれがライ角確認線のずれとしてはっきり見え、ライ角の微妙な変化も視覚的に認識することができる。
【００２１】
本発明の請求項６に記載の発明は、請求項１乃至５の内いずれか１項に記載のパターヘッドであって、前記方向案内部が、その先端から前記フェースまでの距離が１ｍｍ〜１．５ｍｍとなるように配設された構成を有している。
【００２２】
この構成により、請求項１乃至５の内いずれか１項の作用に加え、以下のような作用を有する。
（１）方向案内部の先端からフェースまでの距離を１ｍｍ〜１．５ｍｍとすることで、最適打撃点とボールの中心とを一致させ易くなり、打球の方向性、打球の球足、及び打球感が良くなり、パッティングの精度を向上させることができる。
【００２３】
方向案内部の先端からフェースまでの距離が１．０ｍｍより小さくなるにつれ、パターヘッドの重心が前方にずれるため打球の球足が悪くなると共に打球感が硬くなる傾向がある。
また、パッティングを行う者は方向案内部の軸線上にある最適打撃点とボールの中心とを一致させるために方向案内部を見ながらパッティングを行うが、方向案内部の先端からフェースまでの距離が１．５ｍｍより大きくなるにつれフェースを意識して方向案内部の先端とボールの中心とを正確に一致させ難くなり、打球の方向性が悪くなる傾向がある。
【００２４】
本発明の請求項７に記載のパターは、請求項１乃至６の内いずれか１項に記載のパターヘッドを備えた構成を有している。
【００２５】
この構成により、以下のような作用を有する。
（１）開放部がヘッド本体のフェース、トップブレード及びバックフェース側に開放して形成され、方向案内部が上方からトップブレードを介して視認できるので、透明体の内部の方向案内部の全体を見ることができ、特に、フェースの近傍まで延びた方向案内部の先端部がトップブレードの開放部分を介して見えるので、方向案内部の先端部をボールに向き合わせてアドレスすることで、容易にフェースの最適打撃点の位置にボールの中心の位置を合わせることができる。
（２）方向案内部がフェースに直交する方向に向けて配設されているので、方向案内部の向きを打ち出す方向と一致させてアドレスすることで、正しい打ち出し方向にフェースを向けることができる。
（３）透明体の内部に方向案内部が配設されているので、最適打撃点の水平方向の位置だけでなく高さ方向の位置も正確に把握でき、最適打撃点とボールの中心とを正確に一致させることができる。
（４）方向案内部が最適打撃点を通る軸線上に配設されているので、方向案内部の先端部をボールに向き合わせてアドレスすることで、容易にフェースの最適打撃点の位置にボールの中心の位置を合わせることができる。
（５）アドレス時に上方からパターヘッドを見ると、透明体の内部の方向案内部は透明体のトップブレード側の面を介して略そのままの大きさで見え、方向案内部の延設部はレンズ状透明体を介して拡大又は縮小されて見えるので、ライ角を変えた場合、パターヘッドが傾き、上方から見るとバックフェースよりフェース側の方向案内部の中心と延設部の中心とがずれて見え、これによりライ角の変化を視覚的に認識することができる。
（６）方向案内部及び延設部の上部にその長手方向に沿ってライ角確認線が形成されているので、フェース側の方向案内部の中心と延設部の中心とのずれがライ角確認線のずれとしてはっきり見え、ライ角の微妙な変化も視覚的に認識することができる。
【００２６】
本発明の請求項８に記載の発明は、請求項７に記載のパターであって、前記パターヘッドに取り付けられたシャフトの軸線が前記方向案内部の中心軸に直交する構成を有している。
【００２７】
この構成により、請求項７の作用に加え、以下のような作用を有する。
（１）シャフトの軸線が方向案内部の中心軸に直交するので、最適打撃点とボールの中心を合わせ易いと共に、ボールの中心が多少最適打撃点を外れてもボールの打ち出し方向が大きくずれたり球足が悪くなったりし難く安定性に優れる。
【００２８】
ここで、パターのシャフトは、パターヘッドの上面に立設されたネックを介して、或いはパターヘッドの上面に直接取り付けられる。なお、シャフトはその軸線が方向案内部の中心軸に直交するように、ネックへの取り付け角度が適宜設定され、或いはシャフトのパターヘッド側に所定角度の屈曲部を有するように形成される。
【発明の効果】
【００２９】
以上説明したように本発明によれば、以下のような有利な効果が得られる。
請求項１に記載の発明によれば、
（１）透明体の内部の方向案内部の全体を見ることができ、特に、フェースの近傍まで延びた方向案内部の先端部がトップブレードの開放部分を介して見えるので、方向案内部の先端部をボールに向き合わせてアドレスすることで、容易にフェースの最適打撃点の位置にボールの中心の位置を合わせることができ、初心者だけでなく上級者であっても正確なパッティングを行うことができるパターヘッドを提供することができる。
（２）方向案内部がフェースに直交する方向に向けて配設されているので、方向案内部の向きを打ち出す方向と一致させてアドレスすることで、正しい打ち出し方向にフェースを向けることができ、予想した方向へボールを打ち出すことができるパターヘッドを提供することができる。
（３）透明体の内部に方向案内部が配設されているので、最適打撃点の水平方向の位置だけでなく高さ方向の位置も正確に把握でき、最適打撃点とボールの中心とを正確に一致させることができ、打球の方向性及び球足を向上させることができるパターヘッドを提供することができる。
【００３０】
請求項２に記載の発明によれば、請求項１の効果に加え、
（１）方向案内部が上方からトップブレードを介して視認できるので、透明体の内部の方向案内部の全体を見ることができ、特に、フェースの近傍まで延びた方向案内部の先端部がトップブレードの開放部分を介して見えるので、方向案内部の先端部をボールに向き合わせてアドレスすることで、容易にフェースの最適打撃点の位置にボールの中心の位置を合わせることができ、初心者だけでなく上級者であっても正確なパッティングを行うことができるパターヘッドを提供することができる。
【００３１】
請求項３に記載の発明によれば、請求項１又は２の効果に加え、
（１）方向案内部の先端部をボールに向き合わせてアドレスすることで、容易にフェースの最適打撃点の位置にボールの中心の位置を合わせることができ、初心者だけでなく上級者であっても正確なパッティングを行うことができるパターヘッドを提供することができる。
【００３２】
請求項４に記載の発明によれば、請求項１乃至３の内いずれか１項の効果に加え、
（１）ライ角を変えた場合、パターヘッドが傾き、上方から見るとバックフェースよりフェース側の方向案内部の中心と延設部の中心とがずれて見え、これによりライ角の変化を視覚的に認識することができ、正確なパッティングを行うことができるパターヘッドを提供することができる。
【００３３】
請求項５に記載の発明によれば、請求項４の効果に加え、
（１）フェース側の方向案内部の中心と延設部の中心とのずれがライ角確認線のずれとしてはっきり見え、ライ角の微妙な変化も視覚的に認識することができ、ライ角のズレに視認性に優れたパターヘッドを提供することができる。
【００３４】
請求項６に記載の発明によれば、請求項１乃至５の内いずれか１項の効果に加え、
（１）方向案内部の先端からフェースまでの距離を１ｍｍ〜１．５ｍｍとすることで、打球の方向性、打球の球足、及び打球感が良くなり、パッティングの精度を向上させることができるパターヘッドを提供することができる。
【００３５】
請求項７に記載の発明によれば、
（１）透明体の内部の方向案内部の全体を見ることができ、特に、フェースの近傍まで延びた方向案内部の先端部がトップブレードの開放部分を介して見えるので、方向案内部の先端部をボールに向き合わせてアドレスすることで、容易にフェースの最適打撃点の位置にボールの中心の位置を合わせることができ、初心者だけでなく上級者であっても正確なパッティングを行うことができるパターを提供することができる。
（２）方向案内部がフェースに直交する方向に向けて配設されているので、方向案内部の向きを打ち出す方向と一致させてアドレスすることで、正しい打ち出し方向にフェースを向けることができ、予想した方向へボールを打ち出すことができるパターを提供することができる。
（３）透明体の内部に方向案内部が配設されているので、最適打撃点の水平方向の位置だけでなく高さ方向の位置も正確に把握でき、最適打撃点とボールの中心とを正確に一致させることができ、打球の方向性及び球足を向上させることができるパターを提供することができる。
（４）方向案内部の先端部をボールに向き合わせてアドレスすることで、容易にフェースの最適打撃点の位置にボールの中心の位置を合わせることができ、初心者だけでなく上級者であっても正確なパッティングを行うことができるパターを提供することができる。
（５）ライ角を変えた場合、パターヘッドが傾き、上方から見るとバックフェースよりフェース側の方向案内部の中心と延設部の中心とがずれて見え、これによりライ角の変化を視覚的に認識することができ、正確なパッティングを行うことができるパターを提供することができる。
（６）フェース側の方向案内部の中心と延設部の中心とのずれがライ角確認線のずれとしてはっきり見え、ライ角の微妙な変化も視覚的に認識することができ、ライ角のズレに視認性に優れたパターを提供することができる。
【００３６】
請求項８に記載の発明によれば、請求項７の効果に加え、
（１）最適打撃点とボールの中心を合わせ易いと共に、ボールの中心が多少最適打撃点を外れてもボールの打ち出し方向が大きくずれたり球足が悪くなったりし難い安定性に優れたパターを提供することができる。
【発明を実施するための最良の形態】
【００３７】
以下、本発明の一実施の形態について、図１乃至図６を用いて説明する。
（実施の形態１）
図１は本実施の形態１におけるパターヘッドの背面側からの要部斜視図であり、図２は本実施の形態１におけるパターヘッドの要部正面図であり、図３は本実施の形態１におけるパターヘッドの要部背面図である。
図中、１は本実施の形態１におけるパターヘッド、１ａは金属製のヘッド本体、２はヘッド本体１ａの正面側に形成された平滑面からなりボールを打撃する面であるフェース、３はヘッド本体１ａのフェース２の上端部に形成されたトップブレード、４はヘッド本体１ａの背面側に形成されたバックフェース、４ａはバックフェース４から背面側に形成された段差部、５はヘッド本体１ａの下面側に形成されたソール、６はヘッド本体１ａに形成されフェース４，トップブレード３，バックフェース４側に開放して形成された凹部状の開放部、７は開放部６に充填され一体化されたポリメタクリル酸メチルやポリカーボネート等からなる透明合成樹脂で形成された透明体、８は透明体７の内部に配設された円柱状の金属製の方向案内部、８ａは方向案内部８の背面側に延設された延設部、９は延設部８ａの上部及び両側部を覆うように湾曲状に形成された該透明合成樹脂からなるレンズ状透明体、１０はヘッド本体１ａのトップブレード３に立設されたネック、１１はネック１０の上端部に配設されたシャフト取付部、１１ａはシャフト取付部に取り付けられたシャフトである。
【００３８】
図２において、１２は透明体７のフェース２側の面に形成される最適打撃点、αはライ角である。最適打撃点１２は、いわゆるスイートスポットであり、パターヘッド１の重心を通り且つフェース２に直交する線とフェース２とが交わる点である。
開放部６はヘッド本体１ａの略中央部の最適打撃点１２を含む部分を、フェース２側からバックフェース側へくり貫いて、さらにトップブレード３側へ開放されて形成されている。透明体７のフェース２側の面は、ヘッド本体１ａのフェース２側の面と面一に形成されている。また、トップブレード３の中央部には透明体７が露出しており方向案内部８が上方から視認できるようになっている。透明体７のトップブレード３側の面は、ヘッド本体１ａのトップブレード３側の面と面一に形成されると共に、方向案内部８がそのままの大きさではっきり見えるように平滑面で形成されている。
方向案内部８は、フェース２側が透明体７の内部に配設され、その背面側の延設部８ａがレンズ状透明体９により覆われている。方向案内部８を透明体７より比重の大きい金属製とすることにより、重心部分が重くなるので、打球の方向性及び球足を向上させることができる。レンズ状透明体９は、透明体７と同様の透明体により形成され、延設部８ａの上部及び両側部に沿って湾曲面状に形成されており、これにより凸レンズとして作用する。
延設部８ａの両側にはバックフェース４からソール５に沿って背面側に延びると共に、背面側に向かうにつれ低くなった段差部４ａが形成されている。これにより、パターヘッド１の重心深度を深くでき、且つ低重心にすることができるので、ボールに与える衝撃が大きくなり打球の転がりをよくすることができる。なお、段差部４ａの表面はレンズ状透明体９から滑らかな曲面状に延びた透明体により覆われている。また、段差部４ａは中央側よりトウ側やヒール側が肉厚に形成されている。これにより、ヘッド本体１ａの重さがトウ側及びヒール側に分散され、パターヘッド１のバランスを安定させることができる。なお、段差部４ａの代わりに、バックフェース４から背面側に延びると共に、背面側に向かうにつれ低くなった凹状の湾曲部を形成してもよい。
また、段差部４ａの上部は透明体７やレンズ状透明体９と一体的に形成された透明体により形成されている。段差部４ａの透明体とその下部のヘッド本体１ａを形成する金属との間に網目状部材を内設し、その下部にロゴマーク等を刻印したり印字したりすることでデザイン性に優れた模様を施すことができ、高級感を高めることができる。
シャフト１１ａはパターヘッド１側に延長した軸線が方向案内部８の中心軸と直交する角度で取り付けられている。
【００３９】
以上のように構成された本実施の形態１におけるパターヘッド１について、以下そのライ角確認動作を図４を用いて説明する。
図４（ａ）はライ角が正しい場合のパターヘッドの要部平面図であり、図４（ｂ）はライ角が正しくない場合のパターヘッドの要部平面図である。
図４において、１４は方向案内部８及び延設部８ａの上部にその長手方向に沿って中央部に形成されたライ角確認線、Ｌは方向案内部の先端からフェースまでの長さである。なお、ライ角確認線１４は方向案内部８及び延設部８ａに刻設されて、或いは視認し易い色のインクにより線が引かれて形成されている。
アドレス時に上方からパターヘッド１を見ると、ライ角αが正しい場合は、図４（ａ）に示すように、バックフェース４よりフェース２側の方向案内部８は透明体７を介して略そのままの大きさで見え、延設部８ａはレンズ状透明体９を介して拡大されて見える。また、フェース２側の方向案内部８と延設部８ａとは中心が一致して、各々のライ角確認線１４は一本の直線状に見える。ライ角αがずれた場合、例えばパターヘッド１がネック１０側に傾いた場合は、図４（ｂ）に示すように、レンズ状透明体９の凸レンズの作用によりバックフェース４よりフェース２側の方向案内部８のライ角確認線１４と延設部８ａのライ角確認線１４とがずれるので、ライ角αの微妙な変化も視覚的に認識することができる。ライ角確認線１４が一本の直線状に見えるようにグリップの位置を調整し、シャフトの傾きを調整することにより、正しいライ角でアドレスすることができる。
なお、図４に示すように、フェース２側の方向案内部８は略そのままの大きさで見え、延設部８ａは拡大されて見え、各々の見た目の位置関係からライ角のずれがわかるので、ライ角確認線１４を設けなくてもよい。
【００４０】
以上のように本実施の形態１におけるパターヘッド及びそれを備えたパターは構成されているので、以下のような作用を有する。
（１）開放部６がヘッド本体１ａのフェース２、トップブレード３及びバックフェース４側に開放して形成され、その内部に方向案内部８が最適打撃点１２を通る軸線上に配設されているので、透明体７の内部の方向案内部８及び延設部８ａの全体を見ることができ、特に、フェース２の近傍まで延びた方向案内部８の先端部がトップブレード３の開放部分を介して見えるので、方向案内部８の先端部をボールに向き合わせてアドレスすることで、容易にフェース２の最適打撃点１２の位置にボールの中心の位置を合わせることができる。また、方向案内部８がフェース２に直交する方向に向けて配設されているので、方向案内部８の向きを打ち出す方向と一致させてアドレスすることで、正しい打ち出し方向にフェース２を向けることができる。
（２）アドレス時に上方からパターヘッド１を見ると、方向案内部８のフェース側は透明体７を介して略そのままの大きさで見え、方向案内部８の延設部８ａはレンズ状透明体９を介して拡大されて見えるので、ライ角αを変えた場合、パターヘッド１が傾き、上方から見るとバックフェース４よりフェース２側の方向案内部８の中心と延設部８ａの中心とがずれて見え、ライ角確認線１４がずれるので、ライ角αの微妙な変化も視覚的に認識することができる。
（３）シャフト１１ａの軸線が方向案内部８の中心軸に直交するので、最適打撃点１２とボールの中心を合わせ易いと共に、ボールの中心が多少最適打撃点１２を外れてもボールの打ち出し方向が大きくずれたり球足が悪くなったりし難く安定性に優れる。
【００４１】
（実施の形態２）
図５（ａ）は本実施の形態２におけるパターヘッドの要部正面図であり、図５（ｂ）はライ角が正しい場合のパターヘッドの要部平面図である。
図５において、１′は本実施の形態２におけるパターヘッド、８ｂ，８ｃ，８ｄは方向案内部、８ｅは方向案内部８ｂの延設部である。
本実施の形態２におけるパターヘッドが実施の形態１と異なる点は、３本の方向案内部８ｂ，８ｃ，８ｄが、フェース２側から見て三角形の各頂点の位置となるように配設されている点である。この構成の相異により、本実施の形態２におけるパターヘッド１′は、実施の形態１の作用に加え、以下のような作用を有する。
（１）方向案内部８ｂ，８ｃ，８ｄを複数設けた場合、上方から見て中央に位置する方向案内部８ｂの先端部をボールの位置に合わせてアドレスすることで、容易にフェース２の最適打撃点１２の位置にボールの中心の位置を合わせることができる。また、方向案内部８ｂ，８ｃ，８ｄがフェース２に直交する方向に向けて配設されているので、方向案内部８ｂ，８ｃ，８ｄの向きを打ち出す方向と一致させてアドレスすることで、正しい打ち出し方向にフェース２を向けることができる。
（２）上方から見て中央に位置する方向案内部８ｂは透明体８を介して略そのままの大きさで見え、方向案内部８ｂの延設部８ｅはレンズ状透明体９を介して拡大されて見えるので、ライ角を変えた場合、方向案内部８ｂの中心と延設部８ｅの中心とがずれて見え、ライ角の変化を視覚的に認識することができる。
【００４２】
（実施の形態３）
図６は本実施の形態３におけるパターヘッドの背面側からの要部斜視図であり、図７は本実施の形態３におけるパターヘッドの要部平面図である。
図中、２２はフェース、２３はトップブレード、２４はバックフェース、２５はソール、２６は開放部、２７は透明体、２８は方向案内部、２８ａは延設部、２９はレンズ状透明体であり、これらは実施の形態1において説明したものと同様のものである。２１は本実施の形態３におけるパターヘッド、２１ａはヘッド本体であり、背面側が半円形に形成され背面側に大きく張り出している。また、ヘッド本体２１ａの背面側は段差部２４ａが形成されている。３０は延設部２８ａに接合されたシャフトである。
【００４３】
本実施の形態３におけるパターヘッド及びそれを備えたパターが実施の形態１と異なる点は、ヘッド本体２１ａの形状、及び、シャフト３０が延設部２８ａに接合されている点である。この構成の相異により、本実施の形態３におけるパターヘッド２１及びパターは、実施の形態１の作用に加え、以下のような作用を有する。
（１）ヘッド本体２１ａが背面側に大きく張り出し、パターヘッド２１の重心深度が深い、すなわちフェース２２から重心まで距離が長いので、パッティングが安定し、初心者であっても打球の方向を合わせ易く且つ打球の転がりをよくすることができる。
（２）シャフト３０を直接延設部２８ａに接合してパターヘッド２１に取り付けることにより、シャフト３０の軸線が方向案内部２８の中心軸に直交するので、最適打撃点とボールの中心を合わせ易いと共に、ボールの中心が多少最適打撃点を外れてもボールの打ち出し方向が大きくずれたり球足が悪くなったりし難く安定性に優れる。
【実施例】
【００４４】
以下、本発明の実施例について説明する。
（実施例１乃至５）
実施の形態１のパターを用いて方向案内部の先端からフェースまでの距離Ｌ（図４（ａ）参照）、すなわちフェースの樹脂層の厚みを０ｍｍ、０．５ｍｍ、１．０ｍｍ、１．５ｍｍ、２．０ｍｍとして実施例１乃至５のパターを作製した。
作製した実施例１乃至５のパターを用いて、ハンディキャップ８〜１６の成人男子の被験者１０名により平坦なグリーン上で１０球ずつ距離５ｍのパッティングを行った。その結果を（表１）に示す。
【表１】
2005103259.tif 000003
各被験者は各パターについてパッティング時の打球の方向性、打球の球足、打球感を評価して点数化し、（表１）にはその平均値を示した。評価方法は「とても悪い」を１点、「悪い」を２点、「普通」を３点、「良い」を４点、「とても良い」を５点とした。
なお、打球の方向性は、被験者が意図した打球の方向と実際の方向とのズレが大きい場合を方向性が悪いとし、ズレが小さい場合を方向性が良いとした。打球の球足は、被験者が意図した打球の転がる距離より実際に転がった距離が短く、その距離の差が大きい場合を球足が悪いとし、差が小さい場合を球足が良いとした。打球感は、球を打撃した際の感触が硬い場合を打球感が悪いとし、感触が柔らかい場合を打球感が良いとした。
また、全てのパッティングについて、目標とするカップから半径１０ｃｍ以内に入った割合を（表１）に示した。
【００４５】
（表１）に示す結果から、方向案内部の先端からフェースまでの距離Ｌを、１．０ｍｍ≦Ｌ≦１．５ｍｍとすることにより打球の方向性、打球の球足、及び打球感の全ておいて良好なパターが得られ、打球がカップから半径１０ｃｍ以内に入った割合も４９％〜５１％と高く、パッティングの精度が向上することがわかった。
【産業上の利用可能性】
【００４６】
以上説明したように、本発明は、ゴルフ競技において、グリーン上でのパッティングに用いられるクラブであるパターのパターヘッドに関し、特に本発明によれば、方向案内部により正しい打ち出し方向が判ると共にフェースの最適打撃点を正確にボールの中心と一致させることができ、また、簡単な構造でアドレス時に一目でライ角のずれが判るためライ角を常に一定にでき、打ち出し方向及び球足を安定させることができるパターヘッドを提供することができる。
また、以上説明したように、本発明は、ゴルフ競技において、グリーン上でのパッティングに用いられるクラブであるパターに関し、特に本発明によれば、方向案内部により正しい打ち出し方向が判ると共にフェースの最適打撃点を正確にボールの中心と一致させることができ、また、簡単な構造でアドレス時に一目でライ角のずれが判るためライ角を常に一定にでき、打ち出し方向及び球足を安定させることができるパターを提供することがきる。
【図面の簡単な説明】
【００４７】
【図１】実施の形態１におけるパターヘッドの背面側からの要部斜視図
【図２】実施の形態１におけるパターヘッドの要部正面図
【図３】実施の形態１におけるパターヘッドの要部背面図
【図４】（ａ）ライ角が正しい場合のパターヘッドの要部平面図（ｂ）ライ角が正しくない場合のパターヘッドの要部平面図
【図５】（ａ）実施の形態２におけるパターヘッドの要部正面図（ｂ）ライ角が正しい場合のパターヘッドの要部平面図
【図６】実施の形態３におけるパターヘッドの背面側からの要部斜視図
【図７】実施の形態３におけるパターヘッドの要部平面図
【符号の説明】
【００４８】
１，１′，２１  パターヘッド
１ａ，２１ａ  ヘッド本体
２，２２  フェース
３，２３  トップブレード
４，２４  バックフェース
４ａ，２４ａ  段差部
５，２５  ソール
６，２６  開放部
７，２７  透明体
８，８ｂ，８ｃ，８ｄ，２８  方向案内部
８ａ，８ｅ，２８ａ  延設部
９，２９  レンズ状透明体
１０  ネック
１１  シャフト取付部
１１ａ，３０  シャフト
１２  最適打撃点
１４  ライ角確認線
α  ライ角
【図１】
2005103259.tif 000004
【図２】
2005103259.tif 000005
【図３】
2005103259.tif 000006
【図４】
2005103259.tif 000007
【図５】
2005103259.tif 000008
【図６】
2005103259.tif 000009
【図７】
2005103259.tif 000010